(57)【要約】【課題】シーブの改造を要することなく既設のエレベータへの設置作業を行うことができるエレベータのシーブ停止装置の提供。【解決手段】本発明は、乗かご及びつり合い重りを昇降させる巻上機４と、この巻上機４によって駆動され、乗かご及びつり合い重りが懸下されるロープ６が巻き回されるシーブ４とを備えたエレベータに設けられ、シーブ４を停止させるエレベータのシーブ停止装置１０において、シーブ４の側面に形成される空間部５に挿入可能な棒体１０ｅ１，１０ｅ２が収容され、これらの棒体１０ｅ１，１０ｅ２を弾性体の弾性力を介して空間部５に対して進退させる操作部が収納された筐体１０と、この筐体１０を保持する保持部とを備えている。保持部は、例えば巻上機４によって構成してある。【選択図】図１
2015189529.tif 000002
【特許請求の範囲】
【請求項１】
乗かご及びつり合い重りを昇降させる巻上機と、この巻上機によって駆動され、前記乗かご及びつり合い重りが懸下されるロープが巻き回されるシーブとを備えたエレベータに設けられ、前記シーブを停止させるエレベータのシーブ停止装置において、
前記シーブの側面に形成された隙間部に挿入可能な剛体が収容され、この剛体を弾性部材の弾性力を介して前記隙間部に対して進退させる操作部が収納された筐体と、
前記筐体を保持する保持部とを備えたことを特徴とするエレベータのシーブ停止装置。
【請求項２】
請求項１に記載のエレベータのシーブ停止装置において、
前記保持部は、前記巻上機から成り、
前記隙間部は、前記シーブのスポーク間に形成される空間部から成ることを特徴とするエレベータのシーブ停止装置。
【請求項３】
請求項２に記載のエレベータのシーブ停止装置において、
前記剛体は、棒体から成り、
前記乗かごが所定階床に停止した際に出力される信号に応じて前記筐体に収納された前記操作体が作動し、この操作体によって前記棒体を前記シーブの前記スポーク間の前記空間部に挿入させる操作を実施し、
前記乗かごの戸が閉じられた際に出力される信号に応じて前記操作体が作動し、この操作体によって前記棒体を前記スポーク間の前記空間部から後退させる操作を実施することを特徴とするエレベータのシーブ停止装置。
【請求項４】
請求項３に記載のエレベータのシーブ停止装置において、
前記シーブは外周縁部を形成する環状のリブを有し、前記棒体の挿入位置を、前記リブに近接する位置に設定したことを特徴とするエレベータのシーブ停止装置。
【請求項５】
請求項３または４に記載のエレベータのシーブ停止装置において、
前記棒体を複数本備え、
前記複数本の棒体のうちの少なくとも１本の前記棒体が前記シーブの前記スポークに当たらず、前記空間部に挿入可能となるように、前記複数本の棒体のそれぞれを設置したことを特徴とするエレベータのシーブ停止装置。
【発明の詳細な説明】
【技術分野】
【０００１】
本発明は、ロープが巻き回されるシーブを強制的に停止させるエレベータのシーブ停止装置に関する。
【背景技術】
【０００２】
この種の従来技術が特許文献１に開示されている。この従来技術は、エレベータの電磁ブレーキの故障時の事故を防止するエレベータの安全装置である。この従来技術は、乗かご及びつり合い重りを懸下するロープが巻き回されるシーブの軸と同じ軸に設けた歯車と、この歯車の歯の間に進退可能な作動片とを含む構成となっている。
【０００３】
この従来技術は、乗かごが所定階床に停止した状態にあって、ブレーキ装置のブレーキライニングがドラムを挟まず、乗かごが徐々に動き始めたときに、作動片が歯車の歯の間に挿入されて歯車の回転が阻止され、これに伴ってシーブの回転が阻止されて、ロープの移動が阻止され、乗かごの動きが停止するようになっている。
【先行技術文献】
【特許文献】
【０００４】
【特許文献１】特開平６−６４８６０号公報
【発明の概要】
【発明が解決しようとする課題】
【０００５】
前述した従来技術は、既設のエレベータに当該安全装置の設置作業を行う場合、歯車が一体的に設けられるシーブ側の改造を要することから、シーブを着脱する必要があるなど安全装置の設置作業が大掛かりとなり、設置工数が増加する問題がある。また、シーブの着脱に伴って比較的長時間、エレベータを停止させなければならないことから、エレベータの利用者に対するサービス性が低下する問題もある。
【０００６】
本発明は、前述した従来技術における実情からなされたもので、その目的は、シーブの改造を要することなく既設のエレベータへの設置作業を行うことができるエレベータのシーブ停止装置を提供することにある。
【課題を解決するための手段】
【０００７】
前記目的を達成するために、本発明に係るエレベータのシーブ停止装置は、乗かご及びつり合い重りを昇降させる巻上機と、この巻上機によって駆動され、前記乗かご及びつり合い重りが懸下されるロープが巻き回されるシーブとを備えたエレベータに設けられ、前記シーブを停止させるエレベータのシーブ停止装置において、前記シーブの側面に形成された隙間部に挿入可能な剛体が収容され、この剛体を弾性部材の弾性力を介して前記隙間部に対して進退させる操作部が収納された筐体と、前記筐体を保持する保持部とを備えたことを特徴としている。
【発明の効果】
【０００８】
本発明に係るエレベータのシーブ停止装置は、シーブの製作上の構造を活用することにより、シーブの改造を要することなく既設のエレベータに当該シーブ停止装置の設置作業を行うことができる。これにより本発明は、当該シーブ停止装置の設置作業が従来よりも簡単になり、従来に比べて設置工数を低減させることができる。これに伴い本発明は、エレベータの利用者に対するサービス性を従来よりも向上させることができる。
【図面の簡単な説明】
【０００９】
【図１】本発明に係るエレベータのシーブ停止装置の一実施形態、本実施形態の停止対象であるシーブ、及びシーブの関連部品を示す斜視図である。
【図２】本実施形態の動作を示す図で、乗かご停止時にシーブの側面の空間部に２本の棒体が挿入された状態を示す平面図である。
【図３】図２に示す状態におけるシーブの側面の空間部と２本の棒体との位置関係を示す正面図である。
【図４】本実施形態の動作を示す図で、乗かご停止時にシーブの側面の空間部に１本の棒体のみが挿入された状態を示す平面図である。
【図５】図４に示す状態におけるシーブの側面の空間部と２本の棒体との位置関係を示す正面図である。
【発明を実施するための形態】
【００１０】
以下、本発明に係るエレベータのシーブ停止装置の実施の形態を図面に基づいて説明する。
【００１１】
図１に示すように、本実施形態に係るシーブ停止装置が設けられるエレベータは、図示しない乗りかご及びつり合い重りを昇降させる巻上機１と、この巻上機１を駆動させるモータ２と、このモータ２を制動するブレーキ３が設けられている。また、乗かご及びつり合い重りが懸下されるロープ６が巻き回される本実施形態の停止対象であるシーブ５が設けられている。
【００１２】
シーブ５は、巻上機１の出力軸１ａに取り付けられ、巻上機１によって回転駆動する。このシーブ５は図３等に示すように、巻上機１の出力軸１ａに取り付けられる取り付け部４ａと、外周縁部を形成する環状のリブ４ｃを繋ぐ複数本、例えば５本のスポーク４ｂとを備えている。このシーブ５の側面には隙間部が設けられている。この隙間部は、隣り合うスポーク４ｂ間に形成される空間部５から構成されている。本実施形態の停止対象であるシーブ４には、５本のスポーク４ｂに応じて５つの空間部５が設けられている。
【００１３】
図１に示すように、本実施形態に係るシーブ停止装置１０は、シーブ４のスポーク４ｂ間に形成された空間部５に挿入可能な剛体、例えば２本の棒体１０ｅ１，１０ｅ２が収容され、これらの棒体１０ｅ１，１０ｅ２をばね等の弾性体の弾性力を介して空間部５に対して進退させる操作部が収納された筐体１０ａを備えている。
【００１４】
例えば、乗かごが所定階床に停止した際に図示しない制御装置から出力される信号に応じて前述の操作部が作動し、この操作部によって棒体１０ｅ１，１０ｅ２を、シーブ４のスポーク４ｂ間の空間部５に挿入させる操作が行われる。また例えば、乗かごの戸が閉じられた際に図示しない制御装置から出力された信号に応じて前述の操作部が作動し、この操作部によって棒体１０ｅ１，１０ｅ２を、シーブ４のスポーク４ｂ間の空間部５から進退させる操作が行われる。
【００１５】
また、本実施形態は、筐体１０ａを保持する保持部を備えている。この保持部は、例えば巻上機１によって構成されている。
【００１６】
同図１に示すように、巻上機１の側面には、例えば３つのねじ穴１ｂを形成してある。本実施形態に備えられる筐体１０ａには、巻上機１の側面に形成した３つのねじ穴１ｂに対向するように、３つの円筒部１０ｂを設けてある。また、筐体１０ａには、３つの円筒部１０ｂのそれぞれに連通する３つのボルト穴１０ｃを形成してある。３つのボルト１０ｄのそれぞれを、筒体１０ａの該当するボルト穴１０ｃ、円筒部１０ｂに挿入し、巻上機１のねじ穴１ｂに螺合させることにより、筐体１０ａは巻上機１に固定されるようになっている。
【００１７】
前述した筐体１０ａに収納された操作部によって進退する棒体１０ｅ１，１０ｅ２は、２本のうちの少なくとも１本がシーブ４のスポーク４ｂに当たらずに空間部５に挿入可能となるように設置してある。また、これらの棒体１０ｅ１，１０ｅ２の挿入位置を、図３に示すように、シーブ４の外周縁部を形成するリブ４ｃに近接する位置に設定してある。例えば、巻上機１の出力軸１ａの中心を通る仮想的な水平線を考えた場合、棒体１０ｅ１，１０ｅ２のそれぞれを前述の仮想的な水平線上に位置させ、しかも、巻上機１の出力軸１ａを中心として左右対称となる位置に設置してある。
【００１８】
このように構成した本実施形態は、所定の階床位置に乗かごが停止した状態で実施されるシーブ４の回転を停止させるときには、巻上機１に保持させた筐体１０ａに収納された操作部によって、シーブ４の構造上設けられている側面の空間部５に棒体１０ｅ１，１０ｅ２の少なくとも１本を挿入させることにより、シーブ１の回転を停止させることができる。図２，３は、２本の棒体１０ｅ１，１０ｅ２の双方がシーブ４の別々の空間部５に挿入された場合を示し、図４，５は、２本の棒体１０ｅ１，１０ｅ２のうちの１本の棒体１０ｅ２のみが空間部５に挿入された状態を示している。この場合、他の１本の棒体１０ｅ１は、スポーク４ｂに当たっており、この棒体１０ｅ１を付勢する弾性体が収縮された状態となる。
【００１９】
このように本実施形態は、シーブ４の製作上の構造を活用することにより、シーブ４の改造を要することなく既設のエレベータに当該シーブ停止装置の設置作業を行うことができる。これにより本実施形態は、当該シーブ停止装置の設置作業が簡単であり、設置工数を少なくすることができる。これに伴い、エレベータの利用者に対するサービス性を向上させることができる。
【００２０】
乗かごの昇降に際して乗かごの戸が閉じられると、前述したように図示しない制御装置から出力された信号に応じて、シーブ４の空間部５から棒体１０ｅ１，１０ｅ２が後退し、シーブ４が回転可能な状態となる。これにより乗かごの昇降が可能となる。
【００２１】
また、本実施形態は、筐体１０ａを保持する保持部が機械室内等において強固に固定される巻上機１から成ることにより、筐体１０ａを安定して巻上機１に保持させることができる。また、シーブ４の側面に形成された隙間部は、シーブ４のスポーク４ｂ間に形成される空間部５から成ることにより、棒体１０ｅ１，１０ｅ２の挿入空間を大きく確保でき、シーブ４の回転を停止させるときには、棒体１０ｅ１，１０ｅ２の少なくとも１本をシーブ４のスポーク４ｂ間に形成される空間部５に挿入する操作を確実に実施させることができる。
【００２２】
また、本実施形態はシーブ４の空間部５に挿入される剛体を単純な形状の棒体１０ｅ１，１０ｅ２とすることができるので、実用的である。また、乗かごが所定階床から昇降するに際には、乗かごの戸が閉じられてから昇降が可能となる。すなわち、乗かごの戸開走行を確実に防止することができる。
【００２３】
また、本実施形態は、シーブ４の回転を停止させる際に、シーブ４の回転力がスポーク４ｂを介して棒体１０ｅ１，１０ｅ２に与えられるが、棒体１０ｅ１，１０ｅ２の挿入位置がシーブ４のリブ４ｃに近接する位置であることから、シーブ４の取り付け部４ａに近い側に棒体１０ｅ１，１０ｅ２の挿入位置を設定する場合に比べて、棒体１０ｅ１，１０ｅ２に伝えられる力を小さく抑えることができ、信頼性の高いシーブ停止装置を実現させることができる。
【００２４】
また、本実施形態は、シーブ４の回転を停止させる際には、２本の棒体１０ｅ１，１０ｅ２のうちの少なくとも１本の棒体がシーブ４のスポーク４ｂ間に形成される空間部５に挿入されるので、少なくとも１本の棒体によって確実にシーブ４の回転を停止させることができる。
【００２５】
なお、前述した実施形態では、５本のスポーク４ｂ、すなわち５つの空間部５を有するシーブ４に対して、２本の棒体１０ｅ１，１０ｅ２を設けたが、例えば２本のスポーク、すなわち２つの空間部を有するシーブの場合には、前述した実施形態と同様に２本の棒体を設けるようにしてもよい。この場合、巻上機１の出力軸１ａに対するシーブの取り付け部の中心を通る仮想的な水平線を考えたとき、例えば２本の棒体のうちの一本を仮想的な水平線上に位置させ、他の１本を仮想的な水平線から外れた位置となるように設置するとよい。このように構成したものでは、シーブ４の回転の停止に際して、少なくとも１本の棒体をシーブの空間部に挿入させることができる。
【００２６】
また、例えば３本のスポークを、すなわち３つの空間部を有するシーブの場合には、前述した実施形態と同様に、２本の棒体を設けるようにしてもよい。この場合、巻上機１の出力軸１ａに対するシーブの取り付け部の中心を通る仮想的な水平線を考えたとき、例えば２本の棒体のそれぞれを仮想的な水平線上に位置させ、また、前述の取り付け部を中心として左右対称に設置するとよい。このように構成したものも、シーブ４の回転の停止に際して、少なくとも１本の棒体をシーブの案内部に挿入させることができる。
【００２７】
また、例えば４本のスポークを、すなわち４つの空間部を有するシーブの場合には、巻上機１の出力軸１ａに対するシーブの取り付け部を中心とする正三角形のそれぞれの頂点に棒体が位置するように３本の棒体を設置するとよい。このように構成したものでは、シーブ４の回転の停止に際して、少なくとも２本の棒体をシーブの空間部に挿入させることができる。
【００２８】
さらに、前述した実施形態では、シーブ４に形成される１つの空間部５に１本の棒体が挿入されるように構成したが、１つの空間部５に、シーブの径方向に沿って並設される複数本の棒体が挿入されるように構成してもよい。このように構成したものでは、シーブ４の回転を停止させる際に大きな係止力を確保することができる。
【符号の説明】
【００２９】
１巻上機（保持部）
１ａ出力軸
１ｂねじ穴
２モータ
３ブレーキ
４シーブ
４ａ取り付け部
４ｂスポーク
４ｃリブ
５空間部（隙間部）
６ロープ
１０シーブ停止装置
１０ａ筐体
１０ｂ円筒部
１０ｃボルト穴
１０ｄボルト
１０ｅ１棒体（剛体）
１０ｅ２棒体（剛体）
【図１】
2015189529.tif 000003
【図２】
2015189529.tif 000004
【図３】
2015189529.tif 000005
【図４】
2015189529.tif 000006
【図５】
2015189529.tif 000007